(57)【特許請求の範囲】
【請求項１】
床面部に設けられた挿通穴を通って前記床面部の下方から上方に延びる可撓性を有する配管を固定するための配管固定構造であって、
前記可撓性を有する配管と、
前記床面部の上面に設置され上部に上側開口部が形成された箱体からなり、底面部に前記挿通穴に連通して前記配管を通す下側開口部が形成され、前記上側開口部に前記配管の先端側部分が外部水平方向に延びるように支持する凹部が形成された支持部材と、
前記凹部とで前記配管の周囲を挟持した状態で、前記支持部材の上側開口部を塞ぐ蓋部材と
を備えていることを特徴とする配管固定構造。
【請求項２】
前記支持部材における前記凹部の近傍に係合部を設け、前記凹部に配置された前記配管と、前記係合部とを、仮固定部材で結束することにより前記配管を前記凹部に仮固定した請求項１に記載の配管固定構造。
【発明の詳細な説明】
【技術分野】
【０００１】
本発明は、床面部に設けられた挿通穴を通って床面部の下方から上方に延びる可撓性を有する配管を固定するための配管固定構造に関する。
【背景技術】
【０００２】
従来から、浴室、トイレ、洗面所、台所等の家屋内の各場所に設けられる水栓やシャワー等には、水道管や給湯機等から延びてくる給水用や給湯用の配管が接続されている。これらの配管の中には、床面部に設けられた挿通穴を通って外部から室内に延びてくる、すなわち、外部から室内に引き込まれるものがある。また、このような配管を固定する固定構造の中には配管固定部材を用いて配管を床面部の所定部分に固定したものもある（例えば、特許文献１参照）。
【０００３】
この配管固定構造では、防水パンに形成した貫通口に、外周面に雄ネジが形成された筒状ソケットをロックリングを用いて固定し、この筒状ソケット内に配管を通すことにより、配管を防水パンの下方から上方に延ばしている。そして、筒状ソケットの上端面に三角パッキンとスリップワッシャとを介装させて、穴を備えた袋ナットの穴に配管の上部を通し、袋ナットを筒状ソケットの雄ネジに螺合させて締め付けることにより配管を固定している。また、筒状ソケット内における配管の周囲には緩衝材が設けられ、袋ナットと筒状ソケットとの外周には、スカート状のカバーが設けられている。
【先行技術文献】
【特許文献】
【０００４】
【特許文献１】特開２００３−２３２０５６号公報
【発明の概要】
【発明が解決しようとする課題】
【０００５】
しかしながら、前述した従来の配管固定構造では、配管における防水パンの貫通口近傍で固定される部分が垂直方向に延びているため、結露水や防水パンの上方でシャワー等から吐出した湯水が配管に付着すると、その湯水は配管を伝って配管固定部材に到達し、配管固定部材の中に入り、防水パンの下方に漏出してしまうことがあった。そこで、前述した従来の配管固定構造ではカバー部材を配管に取付け、湯水が配管固定部材に到達することを防いでいる。このため、部材点数が多くなり配管固定作業が煩雑になるとともに、コストが高くなるという問題が生じていた。
【課題を解決するための手段】
【０００６】
本発明は、前述した問題に対処するためになされたもので、その目的は、少ない部材で、配管を伝ってきた湯水が配管固定部材に到達することを抑止することができる配管固定構造を提供することである。すなわち、配管を伝ってきた湯水が配管固定部材に到達することを抑止することで、床面部の下方への漏水を抑止する配管固定構造を提供することである。なお本発明の、床面部に設けられた挿通穴を通って床面部の下方から上方に延びるとは、配管が床面部の下方から床面部の挿通穴を通って床面部の上方にまで配設された状態をいう。さらに、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明の請求項１に係る配管固定構造の構成上の特徴は、床面部（１１）に設けられた挿通穴（１５）を通って床面部の下方から上方に延びる可撓性を有する配管（１７ａ，１７ｂ，１８ａ，１８ｂ）を固定するための配管固定構造（Ａ）であって、可撓性を有する配管と、床面部の上面に設置され上部に上側開口部が形成された箱体からなり、底面部（２２）に挿通穴に連通して配管を通す下側開口部（２２ａ）が形成され、上側開口部に配管の先端側部分が外部水平方向に延びるように支持する凹部（２３ｂ，２３ｃ，２４ｂ，２４ｃ）が形成された支持部材（２１）と、凹部とで配管の周囲を挟持し配管を固定した状態で、支持部材の上側開口部を塞ぐ蓋部材（２６）とを備えていることにある。
【０００８】
本発明の請求項２に係る配管固定構造の構成上の特徴は、支持部材における凹部の近傍に係合部（２５）を設け、配管における凹部に配置された部分の近傍を、仮固定部材（３５）で係合部に結束することにより配管を凹部に仮固定したことにある。
【発明の効果】
【０００９】
本発明の請求項１に係る配管固定構造は、上部に開口部が形成された箱体からなる支持部材と、支持部材の開口部を塞ぐ蓋部材とを備えている。そして、支持部材の底面部には、床面部に設けられた挿通穴を通って、外部から室内に延びてくる可撓性を有する配管を通す下側開口部が形成され、支持部材の上側開口部（上端縁部）には、支持部材の外部に向かって延びる配管の先端側部分が水平方向に延びるように支持する凹部が形成されている。また、蓋部材は、凹部とで配管の周囲を狭持した状態で配管を固定している。
【００１０】
このため、床面部の下方から支持部材の内部に延びてくる配管は、支持部材の内部で湾曲して水平になって支持部材と蓋部材とに固定された状態で支持部材の外部に向かって延びていく。この結果、結露水や床面部の上方でシャワー等から吐出した湯水が配管に付着し、配管を伝って下方に流れたとしても、その湯水の大半は、配管の水平になった部分、または、その近傍で落下するので、湯水が支持部材に到達することを抑止できる。配管から落下した湯水は、床面部の上面に落下し、床面部に設けられた排水口に流れていく。これによって、床面部の上方の湯水が床面部の下方に漏れ、その漏れ出た水によって床面部の下方の部分が汚れてしまうことを抑止できる。
【００１１】
また、配管は可撓性を有しているため、支持部材の内部で容易に曲げることができる。さらに、配管は、支持部材と蓋部材とによって固定されるため、配管を固定するための部材点数が少なくて済み、コストダウンが図れる。また、支持部材から外部に延びる配管は水平方向を向いているため、蓋部材の上方を、他の物を設置するためのスペースとして利用したり、狭い場所に配管固定構造を設けたりすることができる。なお、本発明において、配管の先端側部分が延びる水平方向は、完全に水平である必要はなく、支持部材と蓋部材との間に固定された配管を伝って湯水が支持部材に到達することを抑止できる範囲であれば多少の傾きはあってもよい。
【００１２】
本発明の請求項２に係る配管固定構造によると、予め、凹部に配置された配管の近傍を、仮固定部材で係合部に結束して仮固定したのちに、支持部材に蓋部材を組み付けて配管を固定することができる。これによると、支持部材に蓋部材を組み付ける際には、配管は適正位置に静止した状態になるため、配管を適正位置に正確に、かつ容易に固定することができる。配管が複数である場合には、この効果はさらに大きくなる。
【図面の簡単な説明】
【００１３】
【図１】本発明の一実施形態に係る配管固定構造を備えた浴室を示した平面図である。
【図２】防水パンに設置された配管固定構造と浴槽とを示した斜視図である。
【図３】防水パンに設置された配管固定構造と浴槽とを示した断面図である。
【図４】蓋部材を開けた状態の配管固定部材を示した斜視図である。
【図５】配管固定構造を示した平面図である。
【図６】図５の６−６断面図である。
【図７】図５の７−７断面図である。
【図８】図５の８−８断面図である。
【図９】図５の９−９断面図である。
【図１０】図５の１０−１０断面図である。
【図１１】床用固定部材で、支持部材を洗い場フロアに固定した状態を示した断面図である。
【図１２】結束バンドを示した側面図である。
【発明を実施するための形態】
【００１４】
以下、本発明の一実施形態を図面を用いて説明する。図１は、同実施形態に係る配管固定構造Ａを備えた浴室１０の内部を示している。なお、以降の説明において、前後方向は図１紙面の上下方向、左右方向は図１紙面の左右方向とし、上下方向、水平方向は浴室が設置された状態を基準とした上下方向、水平方向とする。この浴室１０においては、上面に洗い場が形成された本発明に係る床面部としての洗い場フロア１１と、上面に浴槽１２が設置された浴槽フロア１３（図２参照）との対向する縁部同士を接続して防水パンが形成されており、その防水パンの周囲に壁パネル１４やドア１４ａが設けられている。そして、洗い場フロア１１の前方の壁パネル１４（図１における上部右側に配置された壁パネル１４）には、浴槽１２と並んでカウンター（図示せず）が設置されている。
【００１５】
カウンターは、浴槽１２の上面部より低い位置に設置されており、カウンター前方の壁パネル１４には、洗い場で使う湯や水を取り出すための水栓（図示せず）が取り付けられている。また、浴槽１２には、追い焚き用の循環用配管（図示せず）が取り付けられている。洗い場フロア１１における浴槽フロア１３側部分で、かつカウンターの下方の部分には、円形の挿通穴１５（図６ないし図８参照）が形成されている。そして、図３に示したように、外部から洗い場フロア１１の下方を通って延びてくる給湯管１７ａと給水管１７ｂおよび追い焚き往き管１８ａと追い焚き戻り管１８ｂが、この挿通穴１５を通って洗い場フロア１１の上方に向って延びている。
【００１６】
給湯管１７ａと給水管１７ｂとは、それぞれ洗い場フロア１１の上方で水栓に連通する配管（図示せず）に接続され、追い焚き往き管１８ａと追い焚き戻り管１８ｂとは、それぞれ浴槽フロア１３の上方で追い焚き用の循環用配管に接続されている。この給湯管１７ａ、給水管１７ｂ、追い焚き往き管１８ａおよび追い焚き戻り管１８ｂで本発明に係る配管が構成される。以下の説明においては、給湯管１７ａ、給水管１７ｂ、追い焚き往き管１８ａおよび追い焚き戻り管１８ｂを給湯管１７ａ等の配管と記す。
【００１７】
給湯管１７ａ等の配管は、ともに可撓性を有する同径のポリエチレン製の管で構成されており、洗い場フロア１１の上面に位置する部分が配管固定部材２０を介して洗い場フロア１１に固定されている。配管固定部材２０は、図４ないし図７に示したように、支持部材２１と、蓋部材２６とからなる箱状の本体を備えており、給湯管１７ａと給水管１７ｂとは、配管固定部材２０内に下方から入ったのちに水栓が位置する右方向に湾曲して水平方向を向き配管固定部材２０の外部に延びている。追い焚き往き管１８ａと追い焚き戻り管１８ｂとは、配管固定部材２０内に下方から入ったのちに浴槽１２が位置する左方向に湾曲して水平方向を向き配管固定部材２０の外部に延びている。
【００１８】
支持部材２１は、平面が、左右に長い略長方形に形成され、正面（図１の下方側から見た状態を正面とする）が、底部よりも上部の幅が長く両側面が傾斜した略台形に形成され、側面が、上下よりも前後の方がやや長い長方形に形成され、上部が開口した箱体で構成されている。この支持部材２１の底面部２２には、洗い場フロア１１の挿通穴１５と同じ大きさの円形の下側開口部２２ａが形成されている。また、支持部材２１の側面部２３，２４は、それぞれ下方から上方に行くにしたがって、互いの間隔が長くなるようにして上下に延びる板状の壁部で構成されており、その上端開口縁部２３ａ，２４ａの上面は水平面で構成されている。
【００１９】
そして、上端開口縁部２３ａに、互いの間隔を一定に保って左右水平に延びる凹部２３ｂ，２３ｃが形成され、上端開口縁部２４ａに、互いの間隔を一定に保って左右水平に延びる凹部２４ｂ，２４ｃが形成されている。この凹部２３ｂ，２３ｃおよび凹部２４ｂ，２４ｃ（以下、凹部２３ｂ〜２４ｃと記す。）は、それぞれ給湯管１７ａ等の配管の直径の略半分を収容できる深さであり、半円筒形状に形成されている。凹部２３ｂ〜２４ｃが形成された部分は、それぞれ上端開口縁部２３ａ，２４ａの下面よりも下方に突出している。この凹部２３ｂ〜２４ｃで本発明に係る凹部が構成される。
【００２０】
また、上端開口縁部２３ａ，２４ａにおける凹部２３ｂ〜２４ｃに対応する部分には、それぞれ外部側に突出する係合部２５が形成されている。この係合部２５は、それぞれ、上端開口縁部２３ａ，２４ａにおける凹部２３ｂ〜２４ｃを形成する部分を左右の外部へ延長させた形状の半円筒部２５ａと、半円筒部２５ａの先端から外周側へ突出させた半円状のフランジ部２５ｂとで構成されている。なお、凹部２３ｂ〜２４ｃに続く各半円筒部２５ａもそれぞれ水平方向に延びている。
【００２１】
蓋部材２６は、支持部材２１の上面および上部周縁を覆うことのできる高さの低い矩形の箱体で構成されている。そして、蓋部材２６の側面部２７には、凹部２３ｂ，２３ｃに対応する部分に、給湯管１７ａ等の配管の直径の略半分を収容できる深さの半円筒形状の凹部２７ａ，２７ｂが形成され、蓋部材２６の側面部２８には、凹部２４ｂ，２４ｃに対応する部分に、給湯管１７ａ等の配管の直径の略半分を収容できる深さの半円筒形状の凹部２８ａ，２８ｂが形成されている。凹部２７ａ，２７ｂ，２８ａ，２８ｂ（以下、凹部２７ａ〜２８ｂと記す。）と、それに対応する各凹部２３ｂ〜２４ｃとでそれぞれ、給湯管１７ａ等の配管の周囲を狭持できる円形の穴部が形成される。
【００２２】
給湯管１７ａと給水管１７ｂとを凹部２３ｂ，２３ｃに、追い焚き往き管１８ａと追い焚き戻り管１８ｂとを凹部２４ｂ，２４ｃに、それぞれ配置することにより、それらの延びる方向を左右に振り分けて垂直方向から水平方向に変更させることができる。そして、その状態で支持部材２１の上側開口部を蓋部材２６で覆うことにより、支持部材２１の上側開口部を閉塞するとともに、給湯管１７ａ等の配管をそれぞれ固定することができる。ここで、図９は蓋部材を支持部材に固定するねじの中心軸を通るように切断したときの断面図を示している。図９に示すように、蓋部材２６は４組のねじ２６ａとナット２６ｂとによって、支持部材２１の上端開口縁部２３ａ，２４ａに固定される。このとき、係合部２５は、蓋部材２６の側面部よりも外部側に突出している。
【００２３】
また、図９に示したように、給湯管１７ａと給水管１７ｂとにおける凹部２３ｂ，２３ｃと凹部２７ａ，２７ｂとで狭持される部分には短い筒状のシール部材２９が取り付けられている。なお、図示していなが、追い焚き往き管１８ａと追い焚き戻り管１８ｂとにおける凹部２４ｂ，２４ｃと凹部２８ａ，２８ｂとで狭持される部分にもシール部材２９が取り付けられている。このため、支持部材２１に蓋部材２６を組み付けたときに、給湯管１７ａ等の配管の周囲はシール部材２９によって密閉される。このシール部材２９を構成する材料としては、例えば、ゴムを用いることができる。なお、支持部材２１と蓋部材２６とは、ＡＢＳなどの硬質の樹脂で構成されている。
【００２４】
図８は床固定部材３１を通るように切断したときの断面図であり、図１１は床固定部材３１近傍の拡大断面図である。洗い場フロア１１における支持部材２１が固定される部分には、上方に突出した短い円筒状の突出部１６が形成されており、突出部１６の上端には、突出部１６の内部側に延びる環状の固定部１６ａが形成されている。そして、挿通穴１５は、この固定部１６ａの内周側に形成されている。また、支持部材２１の底面部２２には、突出部１６の外周面を囲む円筒部と固定部１６ａの上面を覆う環状部とからなる固定部２２ｂが形成されており、この固定部２２ｂの環状部の内周側に下側開口部２２ａが形成されている。さらに、底面部２２における固定部２２ｂの近傍には、内部にねじが形成された円筒状の係合筒部２２ｃが、下側開口部２２ａの中心周りに等角度間隔に複数個、実施例では４個、設けられている。この係合筒部２２ｃは、底面部２２を貫通して上方に突出している。
【００２５】
支持部材２１は、図１１に示した床用固定部材３１を用いて洗い場フロア１１の上面に設けられた挿通穴１５の位置に固定されている。床用固定部材３１は、上部片が長く下部片が短い略コ字状の組付片３２とねじ３３とで構成されている。組付片３２は、挿通穴１５に下側開口部２２ａを合わせた状態で、洗い場フロア１１の上面に配置された支持部材２１の底面部２２を、洗い場フロア１１に組み付けている。すなわち、組付片３２は、洗い場フロア１１の固定部１６ａの下面と、底面部２２の固定部２２ｂの環状部上面とを挟み込んで、挿通穴１５と下側開口部２２ａとの内縁部に取り付けられている。
【００２６】
また、組付片３２の上面部には、上下に貫通するねじ挿通穴３２ａが形成されている。そして、ねじ３３をねじ挿通穴３２ａに通し、係合筒部２２ｃのねじに螺合させることにより、組付片３２は、底面部２２の固定部２２ｂを洗い場フロア１１の固定部１６ａに圧接させた状態で、底面部２２に固定できる。この床用固定部材３１は、複数組用いられて、挿通穴１５と下側開口部２２ａとの内周縁部の所定部分を一定間隔を保って固定している。なお、図示していないが、固定部１６ａと固定部２２ｂとの間には、パッキン材を設けることが好ましい。これによると、洗い場フロア１１と底面部２２との間を密閉することができる。
【００２７】
また、配管固定部材２０には、本発明に係る仮固定部材としての４つの結束バンド３５も備わっている。この結束バンド３５は、図１２に示したように、環状に曲げることが可能な帯状のバンド部３５ａと、四角筒状の係止部３５ｂとで構成されており、バンド部３５ａの基端は係止部３５ｂの外側部に連結されている。また、バンド部３５ａの一方の面には、直線状の係合凸部が一定間隔で形成され、係止部３５ｂには係合凸部が係合できる係合部が形成されている。バンド部３５ａは先端側から係止部３５ｂ内部に挿入することができ、任意の位置で係合凸部を係合部に係合させることができる。給湯管１７ａ等の配管は、図１０に示したようにして、それぞれ対応する係合部２５に各結束バンド３５によって固定されている。
【００２８】
このように構成された配管固定部材２０を用いて、給湯管１７ａ等の配管を固定するには、まず、洗い場フロア１１の挿通穴１５を通って上方に延びてくる給湯管１７ａ等の配管の上部側部分を、支持部材２１の下側開口部２２ａに通す。ついで、挿通穴１５の周縁部にパッキン材を設置したのちに、挿通穴１５に下側開口部２２ａを合わせて、パッキン材を介して支持部材２１を洗い場フロア１１の上面に設置する。なお、パッキン材は省略してもよい。
【００２９】
つぎに、組付片３２の下部片を挿通穴１５と下側開口部２２ａとの内部に位置させて固定部１６ａの下面に合わせた状態から、組付片３２の上部片を下方に押圧して、組付片３２で洗い場フロア１１の固定部１６ａと底面部２２の固定部２２ｂの環状部とを挟み込む。ここで、組付片３２は、1つの係合筒部２２ｃに対して1つ取り付ける。実施例では、４個の組付片３２が取り付けられている。そして、ねじ３３を、ねじ挿通穴３２ａに通し、係合筒部２２ｃのねじに螺合させることにより、洗い場フロア１１に、底面部２２を固定する。これによって、支持部材２１の洗い場フロア１１への取り付けが終了する。
【００３０】
つぎに、給湯管１７ａ等の配管の所定部分に、それぞれシール部材２９を取り付けて、給湯管１７ａ等の配管を、それぞれ凹部２３ｂ〜２４ｃの対応する部分に、シール部材２９を介して配置する。ついで、結束バンド３５で、係合部２５の半円筒部２５ａと、半円筒部２５ａの上部に位置する給湯管１７ａ等の配管とを結束して、給湯管１７ａ等の配管をそれぞれの凹部２３ｂ〜２４ｃに仮固定する。このとき、フランジ部２５ｂは、結束バンド３５が半円筒部２５ａから外れることを防止し、仮固定した給湯管１７ａ等の配管が凹部から外れることを防止する。
【００３１】
つぎに、凹部２７ａ〜２８ｂをそれぞれシール部材２９を介して給湯管１７ａ等の配管の上部に合わせた状態で、蓋部材２６を、支持部材２１の上部に被せる。そして、蓋部材２６をねじ２６ａとナット２６ｂとによって、支持部材２１に固定することにより、配管固定構造Ａが構成される。この蓋部材２６を支持部材２１に組み付ける作業は、結束バンド３５によって給湯管１７ａ等の配管が仮固定されているため容易に行える。その後、給湯管１７ａ等の配管の先端部を水栓や浴槽１２に連通する配管に接続して配管の固定および接続のすべての作業が終了する。
【００３２】
このように、本実施形態に係る配管固定構造Ａは、上面が開口した箱状の支持部材２１と、支持部材２１の上部を塞ぐ蓋部材２６とを本体とする配管固定部材２０を備えている。そして、支持部材２１の底面部２２に下側開口部２２ａが形成され、支持部材２１の上端開口縁部２３ａ，２４ａに凹部２３ｂ〜２４ｃが形成されている。また、蓋部材２６には、凹部２３ｂ〜２４ｃとで給湯管１７ａ等の配管を狭持し、給湯管１７ａ等の配管を固定できる凹部２７ａ〜２８ｂが形成されている。
【００３３】
このため、洗い場フロア１１の下方から配管固定部材２０の内部に垂直に延びてくる給湯管１７ａ等の配管は、配管固定部材２０の内部で湾曲して水平になり凹部２３ｂ〜２４ｃと凹部２７ａ〜２８ｂとで固定され、配管固定部材２０の外部に向かって延びる。この結果、給湯管１７ａ等の配管の先端側部分に湯水が付着しても、その湯水の大半は、給湯管１７ａ等の配管の水平になった部分またはその近傍で落下するので、配管固定部材２０に到達することを抑止できる。これによって、洗い場フロア１１の下方にまで水が漏れ、漏れた水で洗い場フロア１１の下方の部分が汚れてしまうといったことが抑止される。
【００３４】
また、凹部２３ｂ〜２４ｃと凹部２７ａ〜２８ｂとにおける給湯管１７ａ等の配管を狭持する部分が水平方向に延びていることに加えて、その部分にシール部材２９が設けられているため、給湯管１７ａ等の配管に付着した湯水が、配管固定部材２０の内部に浸入することをより確実に防止できる。さらに、蓋部材２６を支持部材２１に組み付ける際に、給湯管１７ａ等の配管は、それぞれ結束バンド３５によって凹部２３ｂ〜２４ｃに仮固定されているため、手で複数の配管を定位置に押さえる作業が不要になり、蓋部材２６を支持部材２１に組み付ける作業が容易になる。
【００３５】
また、支持部材２１は、組付片３２とねじ３３とで構成される床用固定部材３１を用いて洗い場フロア１１に固定されている。このため、給湯管１７ａ等の配管は、洗い場フロア１１に対して静止した支持部材２１に固定できるため、給湯管１７ａ等の配管の安定した固定が可能になる。また、床用固定部材３１は、ねじ３３を組付片３２のねじ挿通穴３２ａに通して、係合筒部２２ｃのねじに螺合させることにより、洗い場フロア１１と、底面部２２とを圧接して固定するように構成されているため、洗い場フロア１１にねじ穴等を設けることなく、支持部材２１を固定することができる。このため、床用固定部材３１を用いることによって、洗い場フロア１１に水漏れが生じることを防止できる。さらに、パッキン材を用いることにより、洗い場フロア１１と底面部２２との間における挿通穴１５と下側開口部２２ａの周縁部を確実にシールできる。
【００３６】
また、本発明に係る配管固定構造および配管固定部材は、前述した実施形態に限定するものでなく適宜変更して実施することができる。例えば、前述した実施形態では、配管を、給湯管１７ａ、給水管１７ｂ、追い焚き往き管１８ａおよび追い焚き戻り管１８ｂで構成しているが、配管はこれに限るものでなく、前述した配管の一部であってもよい。また、浴槽１２に湯や水を供給するための給湯管や給水管としてもよいし、他の目的で使用する配管であってもよい。さらに、配管の個数も、１個であってもよいし、前述した実施形態の４個以外の複数個であってもよい。
【００３７】
配管を４個以上設ける場合には、支持部材２１の前後方向の幅を長くして、左右に配置される凹部の数をそれぞれ増やしたり、前面部にも凹部を形成したりすることができる。また、配管を４個以下にする場合には、支持部材２１の凹部２３ｂ〜２４ｃに、それぞれ堰を構成する壁部を予め形成しておき、凹部２３ｂ〜２４ｃの中から使用する壁部を除去して、その部分に給湯管１７ａ等の配管を固定するようにしてもよい。また、支持部材の凹部と蓋部材の凹部とにおける配管を狭持する部分の直径に対して、配管の直径が小さい場合には、厚めのシール部材を用いて配管を固定してもよい。さらに、前述した実施形態では、シール部材２９を筒状にして、給湯管１７ａ等の配管の周囲に取り付けているが、このシール部材２９としてシート状のものを用いて、蓋部材２６の側面部２７，２８の下面と、支持部材２１の上端開口縁部２３ａ，２４ａの上面とにも設けるようにしてもよい。
【００３８】
また、前述した実施形態では、配管固定構造Ａおよび配管固定部材２０を浴室１０に設けているが、本発明に係る配管固定構造および配管固定部材は、浴室に限らず、床面部に設けられた挿通穴を通る配管を床面部の近傍に固定するために使用する場所であれば、トイレ、洗面所、台所等の湯や水を使用する種々の場所で使用することができる。さらに、配管固定構造Ａおよび配管固定部材２０のそれ以外の構成についても、本発明の技術的範囲で適宜変更することができる。
【符号の説明】
【００３９】
１１…洗い場フロア、１５…挿通穴、１７ａ…給湯管、１７ｂ…給水管、１８ａ…追い焚き往き管、１８ｂ…追い焚き戻り管、２０…配管固定部材、２１…支持部材、２２…底面部、２２ａ…下側開口部、２３ａ，２４ａ…上端開口縁部、２３ｂ，２３ｃ，２４ｂ，２４ｃ…凹部、２５…係合部、２６…蓋部材、２９…シール部材、３１…床用固定部材、３２…組付片、３３…ねじ、３５…結束バンド、Ａ…配管固定構造。
【図１】
0005427251.tif 000002
【図２】
0005427251.tif 000003
【図３】
0005427251.tif 000004
【図４】
0005427251.tif 000005
【図５】
0005427251.tif 000006
【図６】
0005427251.tif 000007
【図７】
0005427251.tif 000008
【図８】
0005427251.tif 000009
【図９】
0005427251.tif 000010
【図１０】
0005427251.tif 000011
【図１１】
0005427251.tif 000012
【図１２】
0005427251.tif 000013